(57)【特許請求の範囲】
【請求項１】
商品収納ラックを内蔵した本体ケースにヒンジ金具を介して開閉自在に設けられた外扉と、
前記外扉の背後に配置され、前記本体ケースの左右一対の側板のうち前記ヒンジ金具近傍の側板にヒンジ手段を介して開閉自在に設けられた断熱扉と、
を備えた自動販売機において、
前記断熱扉のヒンジ手段が、
前記本体ケースに対して固定された第１軸支部によって軸支され、前記本体ケースに対して回動自在に設けられた第１ヒンジ手段と、
前記第１軸支部との間隔を前記外扉の厚みと同程度に設けた第２軸支部によって軸支され、前記第１ヒンジ手段に対して回動自在であって、かつ、前記断熱扉に固定された第２ヒンジ手段とを備え、
さらに、
前記断熱扉に対して回転自在に設けられたガイドローラと、
前記本体ケースに設けられ、前記ガイドローラを当接させた後に前記断熱扉を閉操作した場合に前記第１軸支部を中心として第１ヒンジ手段を回動させるとともに前記第２軸支部を中心として前記第２ヒンジ手段を回動させることにより、当該断熱扉を閉位置に移動させるガイドレールと
を備えたことを特徴とする自動販売機。
【請求項２】
断熱扉を全開としたときに本体ケースの側板に吸着し、当該断熱扉の全開状態を保持する吸着部材を第１ヒンジ手段に設けたことを特徴とする請求項１に記載の自動販売機。
【発明の詳細な説明】
【０００１】
【発明の属する技術分野】
この発明は、自動販売機に関し、さらに詳しくは、自動販売機に関する。
【０００２】
【従来の技術】
商品収納ラックを内蔵した本体ケースにヒンジ金具を介して開閉自在に設けられた外扉と、当該外扉の背後に配置され、前記本体ケースの左右一対の側板のうち前記ヒンジ金具近傍の側板にヒンジ手段を介して開閉自在に設けられた断熱扉とを備えた自動販売機が知られている。このような自動販売機の外扉は、設置現場における回動スペースを考慮して、ほぼ９０度程度開くように形成されている。また、断熱扉のヒンジ手段の回動軸は、前記本体ケースの側板に近接して設けられている。
【０００３】
【発明が解決しようとする課題】
このため、従来の自動販売機は、外扉を全開にし、続いて断熱扉を全開にしたときに、外扉の厚みが邪魔になり、断熱扉の回動範囲が規制されて十分に開くことができず、商品収納ラックへの商品充填作業がしにくいという課題があった。
【０００４】
また、従来の自動販売機は、断熱扉を一時的に開状態に保持するためのストッパ手段を備えておらず、自動販売機の設置面が傾斜している場合などには、商品充填作業時に開けておいた断熱扉が自重で閉まってしまい、作業性が悪いという課題があった。
【０００５】
この発明は、上記に鑑みてなされたものであって、断熱扉の開閉操作が容易であるとともに全開時の開度を十分に確保でき、商品収納ラックへの商品充填作業が行い易い自動販売機を提供することを目的とする。
【０００６】
また、この発明は、断熱扉の全開状態を必要時に容易に保持でき、商品収納ラックへの商品充填作業が行い易い自動販売機を提供することを目的とする。
【０００７】
【課題を解決するための手段】
上述の目的を達成するために、この発明にかかる自動販売機は、商品収納ラックを内蔵した本体ケースにヒンジ金具を介して開閉自在に設けられた外扉と、前記外扉の背後に配置され、前記本体ケースの左右一対の側板のうち前記ヒンジ金具近傍の側板にヒンジ手段を介して開閉自在に設けられた断熱扉とを備えた自動販売機において、前記断熱扉のヒンジ手段が、前記本体ケースに対して固定された第１軸支部によって軸支され、前記本体ケースに対して回動自在に設けられた第１ヒンジ手段と、前記第１軸支部との間隔を前記外扉の厚みと同程度に設けた第２軸支部によって軸支され、前記第１ヒンジ手段に対して回動自在であって、かつ、前記断熱扉に固定された第２ヒンジ手段とを備え、さらに、前記断熱扉に対して回転自在に設けられたガイドローラと、前記本体ケースに設けられ、前記ガイドローラを当接させた後に前記断熱扉を閉操作した場合に前記第１軸支部を中心として第１ヒンジ手段を回動させるとともに前記第２軸支部を中心として前記第２ヒンジ手段を回動させることにより、当該断熱扉を閉位置に移動させるガイドレールとを備えたことを特徴とする。
【０００８】
したがって、外扉を全開にし、続いて断熱扉を全開にしたときに、外扉の厚みを逃げられるようになり、開度を十分に確保できるので、商品収納ラックのラック扉の回動スペースも十分に確保でき、商品収納ラックへの商品充填作業がし易くなる。
【０００９】
また、ガイドレールは、ガイドローラが当接した後に断熱扉を閉操作した場合に第１軸支部を中心として第１ヒンジ手段を回動させるとともに第２軸支部を中心として第２ヒンジ手段を回動させることにより、断熱扉を閉位置に移動させるので、断熱扉を閉位置に容易かつ確実に移動させ、閉操作を円滑にできる。
【００１０】
また、この発明にかかる自動販売機は、断熱扉を全開としたときに本体ケースの側板に吸着し、当該断熱扉の全開状態を保持する吸着部材を第１ヒンジ手段に設けたものである。これにより、断熱扉の全開状態を必要時に容易に保持でき、商品収納ラックへの商品充填作業が行い易くなる。
【００１１】
【発明の実施の形態】
以下、この発明にかかる自動販売機の実施の形態につき図面を参照しつつ詳細に説明する。なお、この実施の形態によりこの発明が限定されるものではない。
【００１２】
図１は、この発明の実施の形態にかかる断熱扉の開状態を示す平面図、図２は、断熱扉が閉状態のときの第１ヒンジ金具および第２ヒンジ金具の上部を示す斜視図、図３は、断熱扉が閉状態のときの第１ヒンジ金具および第２ヒンジ金具の下部を示す斜視図、図４は、ガイドローラおよびガイドレールを示す斜視図、図５は、断熱扉が開状態のときの第１ヒンジ金具および第２ヒンジ金具の上部を示す斜視図、図６は、断熱扉が開状態のときの第１ヒンジ金具および第２ヒンジ金具の下部を示す斜視図である。
【００１３】
また、図７は、断熱扉が開状態のときの第１ヒンジ金具および第２ヒンジ金具の上部を示す斜視図、図８は、断熱扉が開状態のときの第１ヒンジ金具および第２ヒンジ金具の下部を示す斜視図、図９は、断熱扉の閉状態を示す平面図、図１０〜図１２は、断熱扉を開状態とする動作過程を示す平面図、図１３は、断熱扉の全開状態を示す平面図、図１４は、自動販売機の全体構成を示す斜視図、図１５は、自動販売機を示す正面図である。
【００１４】
電子レンジ付きの自動販売機を例にして説明する。この自動販売機の全体構成は、図１４および図１５に示すように、本体ケース１と、この本体ケース１に対して開閉自在に設けられた外扉２および断熱扉３と、商品を収納するスパイラルラック４と、スパイラルラック４から送出された商品を搬出する搬出扉５と、搬出された商品を電子レンジユニット７に搬送するとともに当該電子レンジユニット７によって加熱された商品を取出口装置８に搬送する搬送装置６とを備えている。
【００１５】
外扉２は、図１に示すように、スパイラルラック４を内蔵した本体ケース１にヒンジ金具２ａを介して開閉自在に設けられている。なお、スパイラルラック４は、前後２列に４つずつ配設されており、ラック扉４ａが軸支部４ｂによって開閉自在に形成されている。また、断熱扉３はガスケット３ａを備え、庫内の密閉性を保持できるようになっている。
【００１６】
つぎに本発明の要部について図１〜図１３に基づいて説明する。断熱扉３は、第１ヒンジ金具１０および第２ヒンジ金具１４とから形成されるヒンジ手段によって、本体ケース１に対して回動自在となるように形成されている。すなわち、このヒンジ手段は、本体ケース１に対して回動自在となるように第１軸支部１２によって軸支された第１ヒンジ金具と、第１ヒンジ金具１０に対して回動自在となるように第２軸支部１６によって軸支され、断熱扉３に固定された第２ヒンジ金具１４とを備えている。
【００１７】
この第１ヒンジ金具１０は、本体ケース１の側板１ａにねじ１１ａによって固定された受け部材１１を介して、第１軸支部１２により軸支されている。また、第２ヒンジ金具１４は、ねじ１４ａにより断熱扉３に固定されている。第１軸支部１２と第２軸支部１６との間隔は、外扉２の厚みと同程度に形成してある。これは、図１３に示すように、断熱扉３を全開にしたときに外扉２の厚みを逃げられるようにし、開度を十分に確保できるように形成したものである。
【００１８】
このように形成した第１ヒンジ金具１０と第２ヒンジ金具１４は、断熱扉３の上下に配設され、上下の第１ヒンジ金具１０，１０は、連結部１０ａによって連結されている。
【００１９】
また、断熱扉３には、回転自在なガイドローラ２０を設けるとともに、電子レンジユニット７の上部には、ガイドローラ２０に当接可能なガイドレール３０を設けてある。これは、断熱扉３の閉操作時にガイドローラ２０をガイドレール３０に当接させることによって（図１参照）、第１ヒンジ金具１０および第２ヒンジ金具１４の回動範囲を規制し、断熱扉３を閉位置に容易かつ確実に案内できるように形成したものである。すなわち、この閉動作過程を示すと、図１３に示した全開状態から、順次、図１２、図１１、図１、図１０に示す各閉動作を経て、図９に示す全閉状態になる。
【００２０】
また、第１ヒンジ金具１０には、断熱扉３を全開としたときに（図１３参照）、本体ケース１の側板１ａに吸着し、断熱扉３の全開状態を保持するマグネット１８を設けてある。
【００２１】
断熱扉３のヒンジ手段を以上のように構成したことで、図１３に示すように、断熱扉３を全開にしたときに外扉２の厚みを逃げられるようになり、開度を十分に確保できるので、ラック扉４ａの回動スペースも十分に確保でき、商品収納ラック４への商品充填作業がし易くなる。このとき、第１ヒンジ金具１０のマグネット１８を側板１ａに吸着させれば、断熱扉３が自重により自然に閉まるのを防止できるので、商品充填作業がし易い。
【００２２】
また、断熱扉３の閉操作時には、ガイドローラ２０をガイドレール３０に当接させることによって、第１ヒンジ金具１０および第２ヒンジ金具１４の回動範囲が規制され、断熱扉３を閉位置に容易かつ確実に案内できる。
【００２３】
以上のように、この実施の形態にかかる自動販売機によれば、断熱扉３の開閉操作が容易であるとともに全開時の開度を十分に確保でき、スパイラルラック４への商品充填作業を行い易くできる。
【００２４】
なお、上記実施の形態においては、本発明を電子レンジ付きの自動販売機に適用した例を説明したが、これに限定されず、その他の自動販売機に適用してもよい。
【００２５】
【発明の効果】
以上説明したように、この発明にかかる自動販売機によれば、商品収納ラックを内蔵した本体ケースにヒンジ金具を介して開閉自在に設けられた外扉と、前記外扉の背後に配置され、前記本体ケースの左右一対の側板のうち前記ヒンジ金具近傍の側板にヒンジ手段を介して開閉自在に設けられた断熱扉とを備えた自動販売機において、前記断熱扉のヒンジ手段が、前記本体ケースに対して固定された第１軸支部によって軸支され、前記本体ケースに対して回動自在に設けられた第１ヒンジ手段と、前記第１軸支部との間隔を前記外扉の厚みと同程度に設けた第２軸支部によって軸支され、前記第１ヒンジ手段に対して回動自在であって、かつ、前記断熱扉に固定された第２ヒンジ手段とを備えたので、外扉を全開にし、続いて断熱扉を全開にしたときに、外扉の厚みを逃げられるようになり、開度を十分に確保できる。したがって、商品収納ラックのラック扉の回動スペースも十分に確保でき、商品収納ラックへの商品充填作業がし易くなる。
【００２６】
また、この発明にかかる自動販売機によれば、前記断熱扉に対して回転自在に設けられたガイドローラと、前記本体ケースに設けられ、前記ガイドローラを当接させた後に前記断熱扉を閉操作した場合に前記第１軸支部を中心として第１ヒンジ手段を回動させるとともに前記第２軸支部を中心として前記第２ヒンジ手段を回動させることにより、当該断熱扉を閉位置に移動させるガイドレールとを備えたので、断熱扉を閉位置に容易かつ確実に移動させ、閉操作を円滑にできる。
【００２７】
また、この発明にかかる自動販売機によれば、断熱扉を全開としたときに本体ケースの側板に吸着し、当該断熱扉の全開状態を保持する吸着部材を第１ヒンジ手段に設けたので、断熱扉の全開状態を必要時に容易に保持でき、商品収納ラックへの商品充填作業が行い易くなる。
【図面の簡単な説明】
【図１】この発明の実施の形態にかかる断熱扉の開状態を示す平面図である。
【図２】断熱扉が閉状態のときの第１ヒンジ金具および第２ヒンジ金具の上部を示す斜視図である。
【図３】断熱扉が閉状態のときの第１ヒンジ金具および第２ヒンジ金具の下部を示す斜視図である。
【図４】ガイドローラおよびガイドレールを示す斜視図である。
【図５】断熱扉が開状態のときの第１ヒンジ金具および第２ヒンジ金具の上部を示す斜視図である。
【図６】断熱扉が開状態のときの第１ヒンジ金具および第２ヒンジ金具の下部を示す斜視図である。
【図７】断熱扉が開状態のときの第１ヒンジ金具および第２ヒンジ金具の上部を示す斜視図である。
【図８】断熱扉が開状態のときの第１ヒンジ金具および第２ヒンジ金具の下部を示す斜視図である。
【図９】断熱扉の閉状態を示す平面図である。
【図１０】断熱扉を開状態とする動作過程を示す平面図である。
【図１１】断熱扉を開状態とする動作過程を示す平面図である。
【図１２】断熱扉を開状態とする動作過程を示す平面図である。
【図１３】断熱扉の全開状態を示す平面図である。
【図１４】自動販売機の全体構成を示す斜視図である。
【図１５】自動販売機を示す正面図である。
【符号の説明】
１  本体ケース
１ａ  側板
２  外扉
２ａ  ヒンジ金具
３  断熱扉
３ａ  ガスケット
４  スパイラルラック
４ａ  ラック扉
４ｂ  軸支部
５  搬出扉
６  搬送装置
７  電子レンジユニット
８  取出口装置
１０  第１ヒンジ金具
１０ａ  連結部
１１  受け部材
１１ａ  ねじ
１２  第１軸支部
１４  第２ヒンジ金具
１４ａ  ねじ
１６  第２軸支部
１８  マグネット
２０  ガイドローラ
３０  ガイドレール
【図１】
0004617570.tif 000002
【図２】
0004617570.tif 000003
【図３】
0004617570.tif 000004
【図４】
0004617570.tif 000005
【図５】
0004617570.tif 000006
【図６】
0004617570.tif 000007
【図７】
0004617570.tif 000008
【図８】
0004617570.tif 000009
【図９】
0004617570.tif 000010
【図１０】
0004617570.tif 000011
【図１１】
0004617570.tif 000012
【図１２】
0004617570.tif 000013
【図１３】
0004617570.tif 000014
【図１４】
0004617570.tif 000015
【図１５】
0004617570.tif 000016